(57)【要約】温水供給装置及び温水供給方法を提供する。温水供給装置は、流入した水をヒータ加熱容量によって加熱するヒータと、ヒータから出水される水の量を調節する出水弁と、出水される水の出水温度を測定する温度センサと、出水温度と目標温度の差に比例して前記出水弁の開放度を制御する制御部とを備えている。上記制御部は、上記出水温度値の変化量を計算し、上記計算された温度変化量に応じて上記出水弁の開放度を調節する。【選択図】図1
2015503724.tif 000002
【特許請求の範囲】
【請求項１】
流入した水をヒータ加熱容量によって加熱するヒータと、
前記ヒータから出水される水の量を調節する出水弁と、
前記出水される水の出水温度を測定する温度センサと、
前記出水温度と目標温度の間の温度差に比例して前記出水弁の開放度を制御する制御部と、
を備えた温水供給装置。
【請求項２】
前記制御部は、前記出水温度の変化量を計算し、前記計算された変化量に応じて前記出水弁の開放度を調節する、請求項１に記載の温水供給装置。
【請求項３】
さらに、電源から供給される供給電圧を検知する電圧検知部を備え、前記制御部は、前記供給電圧を用いて前記ヒータ加熱容量を計算し、前記ヒータ加熱容量と、前記出水温度と目標温度との間の温度差を用いて前記出水弁の開放度を設定する、請求項１に記載の温水供給装置。
【請求項４】
前記電圧検知部は、温水分配を要請する温水分配信号が入力され、または、予め設定された時間間隔が経過した場合に、前記供給電圧を検知する、請求項３に記載の温水供給装置。
【請求項５】
前記電圧検知部は、交流で入力される前記供給電圧を直流電圧に変換し、前記変換された直流電圧を量子化して前記供給電圧の大きさを検知する、請求項３に記載の温水供給装置。
【請求項６】
前記制御部は、前記ヒータ加熱容量に対応する比例定数を設定し、前記出水温度と目標温度との間の温度差に比例して前記出水弁の開放度を設定する、請求項３に記載の温水供給装置。
【請求項７】
前記出水温度と前記目標温度との間の温度差が予め設定された値以上であり、前記計算された変化量が第１基準変化量以上である場合に、前記制御部は、前記変化量を計算した時点における前記出水弁の開放度を第１設定時間の間維持させる、請求項２に記載の温水供給装置。
【請求項８】
前記出水温度と前記目標温度との間の温度差が予め設定された値未満であり、前記計算された変化量が第２基準変化量未満である場合に、前記制御部は、前記変化量を計算した時点における前記出水弁の開放度を第２設定時間の間維持させる、請求項２に記載の温水供給装置。
【請求項９】
温水供給信号が入力されると、ヒータから出水される水の出水量を調節する出水弁の初期開放度を設定し、前記設定された開放度だけ前記出水弁を開放する初期出水操作と、
前記出水温度と目標温度との間の温度差に比例して前記出水弁の開放度を制御する出水制御操作と、を含む、温水供給方法。
【請求項１０】
前記初期出水操作はさらに、電源から供給される供給電圧を測定し、前記供給電圧を用いて前記ヒータのヒータ加熱容量を計算するヒータ加熱容量計算操作を含む、請求項９に記載の温水供給方法。
【請求項１１】
前記ヒータ加熱容量計算操作で、温水分配を要請する温水分配信号が入力され、または、予め設定された時間間隔が経過した場合に、前記供給電圧を測定して前記ヒータ加熱容量を計算する、請求項１０に記載の温水供給方法。
【請求項１２】
前記ヒータ加熱容量計算操作で、前記電源から供給される交流の供給電圧を直流電圧に変換し、前記変換された直流電圧を量子化して前記供給電圧の大きさを測定する、請求項１０に記載の温水供給方法。
【請求項１３】
前記出水制御操作で、前記出水温度の変化量を計算し、前記計算された変化量に応じて前記出水弁の開放度を調節する、請求項９に記載の温水供給方法。
【請求項１４】
前記出水制御操作で、前記出水温度と前記目標温度との間の温度差が予め設定された値以上であり、前記計算された変化量が第１基準変化量以上である場合に、前記変化量を計算した時点における前記出水弁の開放度を第１設定時間の間維持する、請求項１３に記載の温水供給方法。
【請求項１５】
前記出水制御操作で、前記出水温度と前記目標温度との間の温度差が予め設定された値未満であり、前記計算された変化量が第２基準変化量以上である場合に、前記変化量を計算した時点における前記出水弁の開放度を第２設定時間の間維持する、請求項１３に記載の温水供給方法。
【発明の詳細な説明】
【技術分野】
【０００１】
本発明は、温水供給装置および温水供給方法に関し、特に迅速に温水を配分することができる直水型の温水供給装置と直水式の温水供給方法に関する。
【背景技術】
【０００２】
浄水器などに用いられる温水供給装置は、水タンク内にヒータを設置する水タンク型の温水供給装置と、必要に応じてヒータを使用することにより水を加熱する直水型の温水供給装置とに分類することができる。
【０００３】
水タンク型の温水供給装置は、上水道から供給される常温水をフィルターなどでろ過して飲用に適した浄水を得て、水タンク内に貯めた浄水を加熱して、ユーザーに加熱した水を供給する。この場合、水タンク型の温水供給装置は、ろ過した浄水を常温の状態で貯める浄水タンクと、所定の温度に加熱した温水を貯蔵する温水タンクとを含んでいる。浄水を温水タンクに供給して、温水タンク内に設置されたヒータにより加熱して温水にするよう構成することもできる。
【０００４】
しかしながら、水タンク型の温水供給装置においては、温水を使用するかしないかに関係なく、湯の温度を水タンク内で所定の温度に維持しなければなららないために待機電力を消費し、別の温水タンクを備えていなければならないことから、十分なスペースを確保する必要がある。また、水が高い比熱を有する特性から、数十秒から数分の待機時間が必要である。
【０００５】
そのため、最近では、ユーザーからの温水の供給要請に応じて瞬間的に加熱して温水を供給する直水型の温水供給装置が用いられてきたが、この直水型の温水供給装置であっても、温水を出水する初期の段階で、ユーザーが望む目標温度の温水を提供することはできない。
【発明の概要】
【発明が解決しようとする課題】
【０００６】
本発明は、迅速に温水を分配するための直水型の温水供給装置および直水式の温水供給方法を提供することを目的とする。
【課題を解決するための手段】
【０００７】
本発明の温水供給装置は、流入した水をヒータ加熱容量によって加熱するヒータと、前記ヒータから出水される水の量を調節する出水弁と、前記出水される水の出水温度を測定する温度センサと、前記出水温度と目標温度の間の温度差に比例して前記出水弁の開放度を制御する制御部とを含んでいる。
【０００８】
ここで、前記制御部は、前記出水温度の変化量を計算し、前記計算された変化量に応じて前記出水弁の開放度を調節することができる。
【０００９】
ここで、温水供給装置はさらに、電源から供給される供給電圧を検知する電圧検知部を含んでおり、前記制御部は、前記供給電圧を用いて前記ヒータ加熱容量を計算し、前記ヒータ加熱容量と、前記出水温度と目標温度との間の温度差を用いて前記出水弁の開放度を設定することができる。
【００１０】
ここで、前記電圧検知部は、温水分配を要請する温水分配信号が入力され、または、予め設定された時間間隔が経過した場合に、前記供給電圧を検知することができる。
【００１１】
ここで、前記電圧検知部は、交流で入力される前記供給電圧を直流電圧に変換し、前記変換された直流電圧を量子化して前記供給電圧の大きさを検知することができる。
【００１２】
ここで、前記制御部は、前記ヒータ加熱容量に対応する比例定数を設定し、前記出水温度と目標温度との間の温度差に比例して前記出水弁の開放度を設定することができる。
【００１３】
ここで、前記出水温度と前記目標温度との間の温度差が予め設定された値以上であり、前記計算された変化量が第１基準変化量以上である場合に、前記制御部は、前記変化量を計算した時点における前記出水弁の開放度を第１設定時間の間維持させることができる。
【００１４】
ここで、前記出水温度と前記目標温度との間の温度差が予め設定された値未満であり、前記計算された変化量が第２基準変化量未満である場合に、前記制御部は、前記変化量を計算した時点における前記出水弁の開放度を第２設定時間の間維持させることができる。
【００１５】
本発明の温水供給方法は、温水供給信号が入力されると、ヒータから出水される水の出水量を調節する出水弁の初期開放度を設定し、前記設定された開放度だけ前記出水弁を開放する初期出水操作と、前記出水温度と目標温度との間の温度差に比例して前記出水弁の開放度を制御する出水制御操作とを含んでいる。
【００１６】
前記初期出水操作はさらに、電源から供給される供給電圧を測定し、前記供給電圧を用いて前記ヒータのヒータ加熱容量を計算するヒータ加熱容量計算操作を含むことができる。
【００１７】
前記ヒータ加熱容量計算操作で、温水分配を要請する温水分配信号が入力され、または、予め設定された時間間隔が経過した場合に、前記供給電圧を測定して前記ヒータ加熱容量を計算することができる。
【００１８】
前記ヒータ加熱容量計算操作で、前記電源から供給される交流の供給電圧を直流電圧に変換し、前記変換された直流電圧を量子化（ｑｕａｎｔｉｚａｔｉｏｎ）して前記供給電圧の大きさを測定することができる。
【００１９】
ここで、前記出水制御操作で、前記出水温度の変化量を計算し、前記計算された変化量に応じて前記出水弁の開放度を調節することができる。
【００２０】
ここで、前記出水制御操作で、前記出水温度と前記目標温度との間の温度差が予め設定された値以上であり、前記計算された変化量が第１基準変化量以上である場合に、前記変化量を計算した時点における前記出水弁の開放度を第１設定時間の間維持することができる。
【００２１】
ここで、前記出水制御操作で、前記出水温度と前記目標温度との間の温度差が予め設定された値未満であり、前記計算された変化量が第２基準変化量以上である場合に、前記変化量を計算した時点における前記出水弁の開放度を第２設定時間の間維持することができる。
【発明の効果】
【００２２】
本発明の実施の一形態による温水供給装置および温水供給方法によれば、ユーザーが所望する目標温度を有する温水を、初期出水時から提供することができる。
【００２３】
また、上記目標温度を抽出するための制御操作が最小化されるので、上記温水抽出時に必要なエネルギーを減少させることができる。
【００２４】
また、商用交流電源の電圧変動によるヒータ加熱容量の変化を考慮して温水を生成するので、正確な目標温度を有する温水を分配することができる。また、ヒータに印加される電圧を直接に測定してヒータ加熱容量を計算するので、商用交流電源の電圧の大きさが異なる海外でも、ユーザーが所望する目標温度を有する温水を提供することができる。
【図面の簡単な説明】
【００２５】
【図１】本発明の実施の一形態の温水供給装置を示したブロック図である。
【００２６】
【図２】本発明の実施の一形態の温水供給方法を示したフローチャートである。
【００２７】
【図３】本発明の実施の一形態の温水供給方法の初期出水操作を示したフローチャートである。
【００２８】
【図４】本発明の実施の一形態の温水供給装置から出水される温水の出水温度を示したグラフである。
【図５】本発明の実施の一形態の温水供給装置から出水される温水の出水温度を示したグラフである。
【発明を実施するための形態】
【００２９】
以下、本発明が属する技術分野において通常の知識を有する者が本発明を容易に実施できるように、添付の図面を参照しながら実施の形態を詳細に説明する。ただし、本発明の説明において、関連する公知の機能または構造の説明が本発明の要旨を不必要に転換すると思われる場合には、そのような説明を省略するが、当業者には理解されることであろう。また、明細書を通じて、同様の部品に対しては、同様の参照符号を用いることとする。
【００３０】
ある構成要素が他の構成要素に“連結”されているという場合には、他の構成要素に直接連結されている場合だけでなく、その間に介在する構成要素を介して間接的に連結されている場合も含む。これとは対照的に、ある構成要素を他の構成要素に“直接接続する”という場合には、介在する構成要素はない。さらに、逆に明白に説明しない限り、“備える（comprise）”の言葉や、“備えてなる（comprises）”“備えている（comprising）”などは、記述した構成要素を含む意味であり、他のいかなる構成要素も排除するのではなく他の構成要素をさらに含むことができることを意味していることは理解されるであろう。
【００３１】
図１は、本発明の温水供給装置の実施の一形態を示したブロック図である。
【００３２】
図１を参照すると、本発明の実施の一形態における温水供給装置は、ヒータ１０、出水弁２０、温度センサ３１、入水温度センサ３２、および制御部４０を備えることができる。
【００３３】
以下、本発明の実施の一形態における温水供給装置を、図１を参照して説明する。
【００３４】
ヒータ１０は、導入された水をヒータ加熱容量で加熱する。ヒータ加熱容量は、ヒータ１０の消費電力に関連するもので、ワット（ｗ）で表すことができる。ヒータ１０は、流入した水を予め設定されたヒータ加熱容量で一定に加熱することができる。
【００３５】
流入した水がヒータ１０から受ける熱量は、ヒータ加熱容量と水がヒータ１０によって加熱されているときの時間（または期間）に比例することができる。したがって、ヒータ１０のヒータ加熱容量が一定に維持されると、流入した水がヒータ１０から受ける熱量は、水がヒータ１０によって加熱される時間に比例することができる。ここで、流入した水がヒータ１０によって加熱される時間は、流入した水が出水弁２０を介してヒータから出水するまでにかかる時間に応じて決定することができ、したがって、加熱時間は出水弁２０の開放度に応じて調整することができる。
【００３６】
ヒータ１０のオンとオフの操作は、制御部４０によって行うことができ、温水分配信号が入力されると、制御部４０は、ヒータ１０をＯＮにして流入した水をヒータ加熱容量で加熱させることができる。
【００３７】
しかしながら、ヒータ１０に供給される電圧または電流が一定でない場合には、ヒータ加熱容量を一定に維持することができない。ヒータ加熱容量は、ヒータの電流Ｖ、ヒータの電流Ｉ、およびヒータの抵抗Ｒの少なくとも二つを用いることによって計算することができるが（Ｐ＝Ｖ＊Ｉ＝Ｉ^２／Ｒ＝Ｉ^２＊Ｒ）、ヒータ１０に供給される商用交流電源は、実際におよそ１５％の電圧の変化がある。したがって、商用交流電源の電圧変動によってヒータ１０に分配する電圧も変動し、ヒータ加熱容量が変動することとなる。
【００３８】
一般に、商用交流電源の電圧変動は、許容誤差の範囲として認められているので、電圧変化によるヒータ加熱容量の差は考慮しなくてもよい。しかしながら、直水型の温水供給装置のように、加熱加熱時間が短く、正確な目標温度の温水を供給する必要がある場合には、商用交流電源の電圧変動による誤差を考慮する必要がある。したがって、商用交流電源、すなわち電源により供給される電圧の大きさを検出するための電圧検出ユニットを、さらに構成することができる。すなわち、電圧検出ユニットにより測定される供給電圧の大きさに基づくヒータ加熱容量を考慮して、ヒータ１０内に流入した水に対して加熱する時間を設定することができる。
【００３９】
詳細には、電圧検出ユニットは、電源から供給される交流電圧を半波整流し、平滑化し、電圧降下させて直流電圧に変換し、そしてアナログ−デジタルコンバータ（ＡＤＣ）で直流電圧のアナログ値を量子化して、供給電圧値を求めることができる。例えば、ＡＣ２００Ｖの商用交流電源を使用する場合、電源から供給される電圧は、１９８Ｖから２５３Ｖに電圧変動する可能性があるので、電圧検出ユニットは、１０Ｖ間隔で分けて供給電圧を２００Ｖ、２１０Ｖ、２２０Ｖ、２３０Ｖ、２４０Ｖ、および２５０Ｖのいずれか一つで測定することができる。したがって、制御部４０は、それぞれの測定された供給電圧に基づいてヒータ加熱容量を計算し、出水弁２０の開閉程度を設定することができる。
【００４０】
しかしながら、電圧検出で電力消費を防止するために、電圧検出ユニットは、プリセットされた間隔のみ、または、温水分配信号が入力されたときのみ、電圧供給を検出することができる。
【００４１】
さらに、電源から供給される電流と電圧のいずれか一方の大きさが分かっている場合には、ヒータ加熱容量を計算することができるので、電圧検出ユニットに代えて、電源から供給される電流を検出する電流検出ユニットを用いることもできる。
【００４２】
出水弁２０は、ヒータ１０から出水される水の量を調整することができる。上述したように、ヒータ１０から出水される水の量を調整することにより、ヒータ１０に流入した水がヒータ１０内で加熱される時間を調整することができる。具体的には、出水弁２０の開放度が増加すると、流入された水がヒータ１０によって加熱される時間を短くすることができ、出水弁２０の開放度が減少すると、流入された水がヒータ１０によって加熱される時間を長くすることができる。したがって、制御部４０は、出水弁の開放度を調整することによってヒータ１０から出水される水の温度を目標温度に制御することができる。
【００４３】
ここで、出水弁２０は、制御部４０からの制御信号に応じて出水弁２０の開放時間または開放流路フローの断面領域の大きさを調整することによって、出水弁２０の開放度を調整することができる。
【００４４】
ここで、出水弁２０は、ヒータ１０から水を分配する流路に沿った流路全体または一部を遮断するディスクなどのような流路遮断ユニットを含むことができる。ここで、流路遮断ユニットにより遮断される流路の断面領域の大きさを調整することにより、単位面積あたりのヒータ１０から出水される水の量を調整することができる。
【００４５】
また、出水弁２０は、短時間で周期的に繰り返し出水弁２０を開閉することによって単位時間あたりのヒータ１０から出水される水の量を調整することができ、周期的な出水弁２０の開閉は、パルス幅変調（ＰＷＭ）によって実施することができる。たとえば、出水弁２０は、制御部４０によって伝送される一定周期のパルス形態の制御信号を受け、パルスが高い場合には出水弁２０を開放し、パルスが低い場合には出水弁２０を閉じることができる。ここで、制御部４０によって伝送されるパルスのうちで高いパルスの回数が増加すると、出水弁２０は、ヒータ１０から単位時間あたりにより多くの量の水を出水することができる。
【００４６】
したがって、出水弁２０を使用することにより、単位時間あたりに出水される水の量、すなわち、ヒータ１０に流入された水の出水速度を決定することができる。出水速度が速くなると、ヒータ１０に流入した水をヒータ１０内で加熱する時間が減少するので、ヒータ１０から出水される水の温度を低くすることができる。逆に、出水速度が低下すると、ヒータ１０に流入した水のヒータ１０内にとどまる時間が増加するので、流入された水をヒータ１０によって加熱する時間が増加し、ヒータ１０から得られる水の温度が上昇する。
【００４７】
ここで、出水弁２０の開放度を全開から完全遮断まで連続的に調整することができ、また、開放度を予め設定された段階数に応じてセットすることができる。たとえば、開放度を全開から完全遮断まで４段階に分けることができる。すなわち、第１段階を完全遮断、第２段階を１／３開放、第３段階を２／３開放、第４段階を全開とすることができる。この場合では、ステッピングモータを使用することにより、出水弁２０を予め設定された段階数の開放度にセットすることができる。
【００４８】
ここで、出水弁２０は、出水初期で目標温度となるよう出水温度を制御するよう設定された初期開放度を有することができる。すなわち、ヒータ１０から水を出水し始めるときから目標温度で水を出水するために、出水弁２０の初期開放度を制御部４０によって設定することができる。
【００４９】
温度センサ３１は、出水される水の出水温度を測定することができる。温度センサ３１のように、水の温度を測定することができるものであれば、いかなるものでも用いることができる。図１に示したように、温度センサ３１は、出水弁２０とヒータ１０との間に設けることができる。したがって、出水弁２０が完全に遮断されると、温度センサ３１によって測定される出水温度はヒータ１０に貯蔵された水の温度となる。
【００５０】
本発明の実施の形態における温水供給装置は、さらに入水温度センサ３２を含むことができる。入水温度センサ３２は、ヒータ１０内に流入する水の温度を測定することができる。測定された流入温度は、その後に出水弁２０の初期開放度の設定に用いることができる。
【００５１】
温水分配信号が入力されると、制御部４０はヒータ１０を操作することができ、初期出水時から目標温度の水を出水し始めるために、制御部４は出水弁２０の初期開放度を設定することができる。
【００５２】
上述したように、温度センサ３１により測定された出水温度は、ヒータ１０に貯蔵された水の温度と等しい。したがって、初期出水時における出水温度により出水弁２０の初期開放度を異ならせることによって、出水弁２０の最も適切な開放度を実験的に求めることができる。すなわち、測定された出水温度により予め設定された開放度を出水弁２０の初期開放度として設定することができることで、初期出水時から目標温度に近い水を出水することができる。
【００５３】
ここで、制御部４０は、最後に出水したときと、次に水を出水したときとの間の使用待機時間を計測し、使用待機時間と出水温度により出水弁２０の初期開放度を設定する。すなわち、制御部４０は、出水温度と同様に使用待機時間を考慮して初期開放度を設定することができる。
【００５４】
また、制御部４０は、ヒータ１０に注入される水の流入温度を受け取り、この受け取った流入温度、ヒータ加熱容量、および目標温度を用いてヒータから出水される水の出水量を計算することができる。これにより、制御部４０は、計算した出水量によって出水弁２０の初期開放度を設定することができる。
【００５５】
例えば、制御部４０は、次式
【数１】
2015503724.tif 000003
を使用することによりヒータ１０から出水される水の初期出水量を計算することができ、計算された初期出水量により出水弁２０の初期開放度を設定することができる。
すなわち、制御部４０は、入水温度センサ３２からの入水温度を受け取って、より正確に出水弁２０の初期開放度を設定することができる。ここで、Ｖは出水される水の容積、ｗはヒータ１０のヒータ加熱容量、ｃは水の比熱、ρは水の密度、Δｔは加熱時間、Ｔ１は目標温度、Ｔ２は流入温度である。
【００５６】
初期の出水の後に、制御部４０は、出水温度の値の変動に応じて出水弁２０の開放度を制御する。
【００５７】
上述したように、ヒータ１０内に流入する水の温度は、ヒータ加熱容量とヒータ１０による加熱時間とに比例して増加させることができる。
【００５８】
一般に、ヒータ加熱容量は一定に維持されるので、制御部４０が出水弁２０の開放度を調整することにより、流入した水をヒータ１０によって加熱する加熱時間を制御することができる。したがって、制御部４０は、温度センサ３１が測定した出水温度により出水弁２０の開放度を調整することによって、ヒータ１０から出水される水の温度を目標温度に制御することができる。
【００５９】
具体的には、制御部４０は、出水温度と目標温度との差を求めて、その差に比例するように出水弁２０の開放度を制御することができる。すなわち、出水温度が目標温度よりも高い場合には、制御部４０は、出水温度と目標温度との間の差に比例して出水弁を開くことができ、また、出水温度が目標温度よりも低い場合には、制御部４０は、出水温度と目標温度との間の差に比例して出水弁を閉じることができる。ここで、出水弁２０の開放度の調整において、出水温度と目標温度との差による比例式を用いることにより、または、出水温度により実験的に作成された表を用いることにより、出水弁２０の開放度を設定することができる。
【００６０】
しかしながら、上述したように、商用交流電源の電圧変動によってヒータ１０のヒータ加熱容量が変動することがある。したがって、温度をより正確に調整するために、商用交流電源の電圧変動によるヒータ加熱容量の変化も考慮して、出水弁２０の初期開放度を設定することが望ましい。
【００６１】
この結果、ヒータ１０はさらに、電源からの供給電圧を検出する電圧検出ユニットを含むことができ、また、制御部４０は、供給電圧からヒータ加熱容量を求めることができる。具体的には、ヒータ１０に実際に供給されるヒータ電圧値は、印加される電圧から求めることができ、また、ヒータ１０の実際のヒータ加熱容量は、ヒータ電圧を用いることにより計算することができる。すなわち、制御部４０は、ヒータ１０のヒータ電圧と抵抗値とをＰ＝Ｖ＊Ｉ＝Ｖ^２／Ｒに代入することにより、実際のヒータ加熱容量を計算することができる。
【００６２】
まず初めに、出水温度に対応する出水弁２０の初期開放度を設定するために、制御部４０は、実際の計算されたヒータ加熱容量を用いることができる。すなわち、出水温度が同じでも、ヒータ加熱容量が異なれば、初期開放度が異なり、水の出水時間の初期における出水温度と測定されたヒータ加熱容量とにより最も適切な出水弁１０の開放度を実験的に求めることができる。したがって、測定された出水温度とヒータ加熱容量とによる開放度の設定を出水弁２０の初期開放度として設定することができ、これにより、初期出水時から目標温度に近い水を出水することができる。
【００６３】
また、ヒータ１０内に入水された水の流入温度を受け取ると、次式
【数２】
2015503724.tif 000004
において、実際に計算されたヒータ加熱容量を式のヒータ加熱容量ｗに代入することにより、ヒータ１０から出水される水の初期出水量Ｖを計算することができる。この場合、出水弁２０の初期開放度の調整に基づいて、ヒータ１０に実際に印可される電圧に基づいてヒータ加熱容量を計算することができることから、温度をより正確に調整することができる。
【００６４】
初期出水の後では、制御部４０は、出水温度の値に変化に応じて出水弁２０の開放度を調整するために、実際に計算されたヒータ加熱容量を用いることができる。具体的には、ヒータ加熱容量に比例する比例係数を設定し、出水温度と目標温度との差にに比例して出水弁４０の開放度を設定することができる。出水弁２０の開放度の調整においては、出水温度と目標温度との差と目標温度とにより発生する比例式を用いることにより、または、ヒータ加熱容量と出水温度により実験的に作成された表を用いることにより、出水弁２０の開放度を設定することができる。
【００６５】
例えば、電圧検出ユニットによって測定される供給電圧は、２００Ｖ、２１０Ｖ、２２０Ｖ、２３０Ｖ、２４０Ｖ、および２５０Ｖに量子化して、各供給電圧値により予め設定された比例係数があり得る。したがって、比例係数と出水温度を用いて出水弁２０の開放度を調整することができる。ここで、比例係数は実験的に求めることができる。
【００６６】
ここで、制御部４０が電圧検出ユニットによって測定された供給電圧に基づいてヒータ加熱容量を直接計算するため、商用交流電源の電圧変動に応じて制御を行うことが可能となる。したがって、商用交流電源の電圧範囲が異なる海外であっても、セットアップの工程を行うことなく、ユーザーが望む目標温度の温水を提供することができる。すなわち、商用交流電源の電圧範囲が異なる海外であっても、整合性（ｃｏｎｓｉｓｔｅｎｃｙ）を与えることができる。
【００６７】
しかしながら、温水供給装置は、直水型の温水供給装置であるが、出水弁２０の初期開放度を出水温度に応じて設定しても、流入した水の加熱が十分でない可能性があり、目標温度に達していない温水が供給されることがある。しかしながら、ユーザーは、温水供給装置が目標温度の水を提供すると期待して水を出水するので、出水時期の初期でも目標温度の水を提供することは温水供給装置に必須のことである。
【００６８】
したがって、ヒータ１０内に貯蔵された水の温度が予熱基準温度よりも低い場合には、制御部４０は、出水弁２０を開放する前の予熱時間の間にヒータ１０を作動させることができる。
【００６９】
すなわち、ヒータ１０内に貯蔵された水を出水する前に、ヒータ１０内に貯蔵された水を加熱して温度を上昇させる予熱を行ってから、水の出水を開始することができる。この場合においては、ユーザーが温水供給を要請する温水分配信号を入力してから予熱にかかる時間によって応答時間が遅くなる可能性があるが、初期出水時からユーザーが望む目標温度の水を提供することができる。
【００７０】
ここで、温水供給装置が温水を供給した後にすぐに再び温水を供給する場合があり得る。この場合には、ヒータ１０内に存在する水の温度が既に目標温度に近いので、予熱をする必要がない。逆に、温水供給装置がユーザーに温水を供給してから長い時間が経過した後に、温水を供給する場合があり得る。たとえば、温水供給装置が最初に温水を供給してから２時間後に、温水を供給する場合があり得る。この場合、ヒータ１０内に存在する水は既に冷めており、目標温度から大きな差があり得る。
【００７１】
したがって、制御部４０は、温度センサ３１を用いて、貯蔵された水の温度が予熱基準温度より低い場合、たとえば６０度以下の場合だけ、貯蔵された水の温度を確認することができる。
【００７２】
また、制御部４０は、ヒータ１０内に貯蔵された水の温度、すなわち出水温度が低いほど、予熱時間を長く設定することができる。出水温度と目標温度のとの間の差が大きくなるので、ヒータ１０内に貯蔵された水を十分に加熱するために予熱時間を長く設定することができる。逆に、出水温度が高い場合には、温度が目標温度に近いので、ヒータ１内に貯蔵された水を短時間で加熱しても、充分に目標温度に達することができる。
【００７３】
これに加えて、制御部４０は、最後の出水したときと次に出水するときとの間の使用待機時間を測定し、測定された出水温度に応じて、予熱時間と出水弁２０の開放度を設定することができる。
【００７４】
温水分配信号の入力が停止されると、温水供給装置は、温水の供給を停止するために出水弁２０を完全に閉鎖することができ、ヒータ１０内に貯蔵された水を目標温度に加熱した状態に維持することができる。この場合には、しかしながら、温水供給装置が作動しないと、時間の経過に伴ってヒータ１０内に貯蔵された水の温度が低下する。したがって、目標温度と出水温度との間の差と同様に使用待機時間を考慮して、出水弁２０の開放度を設定することができる。
【００７５】
さらに、迅速に目標温度の水を分配するために、制御部４０は、出水温度値の変化に応じて、出水弁２０の開放度を調整することができる。図４および５を参照して制御部４０の動作に関する特定の動作を説明する。
【００７６】
図４（ａ）は、第１出水の場合における出水温度を示したグラフである。すなわち、図４（ａ）は、水を最後に出水してから所定時間経過後に温水を出水する場合のグラフを示している。図４（ａ）を参照すると、出水温度は目標温度に収束しており、この収束は、上述したように出水弁の開放度を制御することにより得ることができる。
【００７７】
この場合は、しかしながら、図４（ａ）に示したように、出水温度が目標温度に収束する過程で、出水温度は、目標温度に基づいて上昇したり下降して変動して、出水温度の変動により、ユーザーに熱水または冷水が突然供給されることがある。また、出水温度を安定して目標温度にするまでかかる時間が長くかかることがある。したがって、出水温度曲線の変動を最小にするために、出水弁２０を制御する必要がある。
【００７８】
図４（ｂ）は連続的に出水をする場合の出水温度を示している。温水を継続して分配するので、図４（ｂ）に示したように、初期に出水温度は急激に上昇しないが、出水温度曲線に変動が現れる。したがって、変動を最小限に抑えるために、出水弁２０を制御する必要がある。
【００７９】
そのため、制御部４０は、出水温度値の変化量を計算し、この計算した変化量に応じて出水弁２０の開放度を調整して、変動を最小限に抑えることができる。
【００８０】
まず初めに、制御部４０は、出水温度と目標温度との間の差を計算し、この差の値から、温水分配が最初の出水であるのか、それとも連続的な出水であるのかを判定することができる。
【００８１】
たとえば、出水温度と目標温度との間の差が予め設定された値以上の場合、制御部４０は、温水出水が最初の出水であると判定し、また、出水温度と目標温度との間の差が予め設定された値未満場合、制御部４０は、温水出水が連続出水であると判定することができる。
【００８２】
ここで、出水温度と目標温度との間の差は、温水を分配する初期の時点で求めることができ、この場合には、最初の出水と連続的な出水を明確に区別することができる。
【００８３】
すなわち、最初の出水の場合では、ヒータ１０内に貯蔵された水の温度を常温（おおよそ２６°Ｃ）に近づけることができるが、連続的な出水の場合には、既に加熱されているので、ヒータ１０内に貯蔵された水の温度が目標温度（８５°Ｃ）に近づくことができる。
【００８４】
したがって、出水温度と目標温度との間の差に基づいて、最初の出水と連続的な出水を判定することができ、また、最初の出水と連続的な出水とに応じて出水弁２０を異ならせて制御することができる。
【００８５】
温水の出水が最初の出水である場合、制御部４０が出水温度の変化量を計算することができ、また、出水弁２０の開放度を出水温度の変化に応じて調整することができる。
【００８６】
出水温度の変化量は、あらかじめ設定された時間間隔毎に出水温度値を測定して、測定された出水温度値の間の差を計算することにより求めることができる。ここで、計算された出水温度の変化が第１基準変化以上の場合には出水温度が急激に上昇していると考えられ、この場合には、出水温度のグラフの曲線の変動数と変動振幅が大きくなる可能性がある。
【００８７】
したがって、変動が急激に大きくなると判別されると、出水弁２０の開放度を変化量が計算された時点での開放度に固定することができ、そして、この開放度の固定は第１設定時間の間維持することができる。すなわち、出水温度の変化量を減らすために、出水温度に応じて出水弁２０の開放度の制御を第１設定時間の間中断させることができる。これにより、出水温度の変動を図５に示すように減少させることができる。
【００８８】
図４の（ａ）を参照すると、最初の出水の場合でも、時間経過に伴って出水温度を徐々に上昇させることができ、出水温度と目標温度との温度差を予め設定された値よりも少なくすることができる。したがって、この場合には、制御部４０は、出水弁２０の開放度を連続出水と同様に制御することができる。以下に、連続出水の場合における制御部４０の動作を説明する。
【００８９】
温水を連続出水させると判別すると、上述したように、出水温度の変化量を計算して、変化量が第２基準変動量以上であるか否かを判別することができる。第２基準変化量は、第１基準変化量よりも小さくすることができる。変化量が第２基準変化量以上の場合には、出水温度が緩やかに上昇していると考えることができる。
【００９０】
出水温度が緩やかに上昇すると、出水温度のグラフにおける曲線の変動数と変動振幅が増加すると予想することができ、したがって、出水弁２０の開放度を変動が計算された時点の開放度に固定することができる。ここで、固定する時点は、第１設定時点よりも短い第２設定時点とすることができ、出水弁２０の制御を中断することにより出水温度の変動を減少させることができる。
【００９１】
したがって、出水温度の変化量に応じて出水弁２０の開放度を調整することによって、出水温度を迅速に目標温度に収束させることができ、また、出水弁２０の制御時間を短縮することによって、出水弁２０を制御するためのエネルギーの消耗を減少させることができる。
【００９２】
図に示していないが、浄水器は、温水供給装置を含むことができる。浄水器は、上水道から供給される水道水をろ過する浄水フィルターを含むことができ、浄水フィルターによって浄化された水をヒータ１０に流入させることができる。その後、浄水は、ヒータ１０内で加熱され、出水弁２０を介して出水されてユーザーに提供される。ここで、制御部４０は、出水弁２０の開放度を制御して、抽出される水の温度を目標温度に調整することができる。同様に、制御部４０は、温度センサ３１と流入温度センサ３２を用いることによって出水弁２０の開放度を制御して、ヒータ１０と出水弁２０とを制御することにより、ヒータ１０内に流入した水を予熱することができる。
【００９３】
図２は、本発明の実施の一形態による温水の供給方法を示したフローチャートであり、図３は本発明の実施の一形態による温水の供給方法の初期出水操作（段階）を示したフローチャートである。
【００９４】
図２および図３を参照すると、本発明の実施の一形態における温水供給方法は、初期出水操作（段階）（Ｓ１０）と、出水制御操作（段階）（Ｓ２０）とを含むことができる。初期出水操作（Ｓ１０）は、初期開放制御操作（Ｓ１１）、予熱工程（Ｓ１２）、および初期開放工程（Ｓ１３）を含むことができる。
【００９５】
以下、本発明の実施の一形態における温水の供給方法を図２および図３を参照しつつ説明する。
【００９６】
初期出水操作（Ｓ１０）では、温水供給信号が入力されると、ヒータから出水される水の出水量を調整するための出水弁の初期開放度が設定され、予め開放度が設定された出水弁によって出水弁を開放することができる。初期出水操作（Ｓ１０）では、温水供給信号を入力することにより加熱を開始する。この操作では、初期出水から目標温度の水を抽出し始めるために、出水弁の初期開放度を設定することができる。
【００９７】
詳細には、初期出水操作（Ｓ１０）は、初期開放設定操作（Ｓ１１）と、予熱操作（Ｓ１３）とを含むことができる。
【００９８】
初期開放設定操作（Ｓ１１）では、出水温度に応じた出水弁の初期開放度として、予め設定された開放度を設定することができる。
【００９９】
出水温度は、ヒータと出水弁との間に配置された温度センサを用いることによって測定することができる。出水弁を開放する前に、ヒータ内に貯蔵された水の温度を出水温度とすることができる。したがって、出水弁を開放する前の出水温度を用いてヒータ内に貯蔵された水の温度を測定することができ、出水弁の初期開放度を測定された水の温度に応じて設定することができる。
【０１００】
詳細には、ヒータ内に貯蔵された水の温度は、最後の出水からどれくらい時間が経過したかによるため、ヒータ内に貯蔵された水の温度に応じて初期開放度を変更する必要がある。
【０１０１】
たとえば、最後に出水してから１分経過すると、貯蔵された水の温度を目標温度に近づけることができるため、水を長時間加熱する必要がなく、したがって比較的多くの水を出水するよう初期開放度を設定することができる。
【０１０２】
これに対し、最後に出水してから２時間経過した場合には、貯蔵された水の温度が目標温度から大きく異なる可能性があるため、水をヒータで長時間加熱する必要がある。この場合には、出水する水の量を比較的少なくするように初期開放度を設定することができる。
【０１０３】
ここで、出水温度による初期開放度は、測定された出水温度に応じた出水弁の初期開放度の変動によって最も適切な初期開放度を実験的に求めることができ、これによって、出水温度のそれぞれ応じた出水弁の初期開放度を予め設定することができる。
【０１０４】
さらに、上述したように、最後に出水してから経過した時間の程度、すなわち最後に出水したときと次に出水するときとの間の使用待機時間に応じて、ヒータ内に貯蔵された水の温度を変動させることができる。したがって、初期開放度設定操作（Ｓ１１）では、最後に出水したときと次に出水するときとの間の使用待機時間を測定して、この測定された使用待機時間と出水温度を用いることによって、出水弁の初期開放度を設定することができる。
【０１０５】
初期開放度設定操作（Ｓ１１）では、出水温度の他に、ヒータ内に流入する水の流入温度を受け、さらにこの流入温度に基づいて出水弁の初期開放度を設定することができる。
【０１０６】
詳細には、目標温度を有する水を出水するために必要なヒータの初期出水量は、次式
【数３】
2015503724.tif 000005
を用いることにより計算することができ、そして、計算されたヒータの初期出水量に応じて出水弁の初期開放度を設定することができる。すなわち、流入温度を受けることにより、出水弁の初期開放度をより正確に設定することができる。ここで、Ｖは出水される水の容積、ｗはヒータ１０のヒータ加熱容量、ｃは水の比熱、ρは水の密度、Δｔは加熱時間、Ｔ１は目標温度、Ｔ２は流入温度である。
【０１０７】
この場合には、しかしながら、ヒータのヒータ加熱容量が一定であると仮定して初期開放度を設定するが、実際には、ヒータに供給される商用交流電源の電圧変動に応じてヒータのヒータ加熱容量も変動する可能性がある。したがって、出水弁の初期開放度をより正確に設定するために、ヒータ加熱容量の変化を考慮する必要がある。
【０１０８】
このため、初期開放度設定操作（Ｓ１０）は、さらに、ヒータ加熱容量の計算工程（図示はしていない。）を含むことができ、そして、ヒータ加熱容量の計算工程で電源から供給される供給電圧を測定して、この供給電圧を用いることによってヒータ加熱容量を計算することができる。
【０１０９】
詳細には、ヒータ加熱用容量計算操作では、電源から供給される交流の供給電圧を直流の電圧に変換し、この変換された直流の電圧を量子化して供給電圧を検知することができる。すなわち、電源から供給される交流の電圧を半波整流し、平滑化し、電圧降下させて直流の電圧に変換し、さらに、この変換された直流の電圧をアナログ−デジタル変換器によって量子化して、供給電圧を測定することができる。したがって、１９８Ｖから２５３Ｖまで変動する２２０Ｖの商用交流電源が供給される場合、
この電力を１０Ｖ間隔で区切って２００Ｖ、２１０Ｖ、２２０Ｖ、２３Ｖ、２４０Ｖ、２５０Ｖのうちの一つとして測定することができる。ヒータの抵抗値が一定であるので、供給電圧が測定されると、ヒータに印加されるヒータ電圧を求めることができ、Ｐ＝Ｖ＊Ｉ＝Ｖ＾２／Ｒを用いることによってヒータのヒータ加熱容量を容易に計算することができる。
【０１１０】
その後、初期開放度設定操作（Ｓ１１）では、ヒータ加熱容量計算操作で計算されたヒータ加熱容量を用いることによって、出水弁の開放度を設定することができる。詳細には、初期開放度設定操作（Ｓ１１）では、出水温度が一定でも、計算されたヒータ加熱容量が異なる場合に、出水弁の開放度を変更することができ、初期出水時における出水温度と測定されたヒータ加熱容量に応じて出水弁の最も適切な開放度を実験的に求めることができる。したがって、予め設定された開放度を初期出水時における出水温度と測定されたヒータ加熱容量に応じて出水弁の初期開放度に設定することができる。
【０１１１】
また、ヒータに流入する流入温度を受けると、次式
【数４】
2015503724.tif 000006
のヒータ加熱容量ｗに実際に測定されたヒータ加熱容量を代入することによってヒータ１０から出水される水の初期出水量Ｖを計算することができる。この場合、出水弁２０の初期開放度を調整するための基礎となるヒータ加熱容量を、ヒータ１０に実際に印可される電圧に基づいて計算することができる。
【０１１２】
さらに、ヒータ加熱容量計算操作では、予め設定された時間間隔毎に、または、温水ｋ配分信号が給力されたときに、電源から供給される電圧すなわち供給電圧を測定することができる。これは、供給電圧の測定に必要な電力消耗を減少させるためである。
【０１１３】
初期開放度設定操作（Ｓ１１）で目標温度を有する水を配分するための出水弁の初期開放度が既に設定されているが、ヒータに貯蔵された水の温度が極端に低い場合には、分配される水を十分に加熱することができない可能性があり、したがって目標温度を有していない水が提供される可能性がある。
【０１１４】
したがって、初期出水操作Ｓ１０は、さらに予熱操作（Ｓ１２）を含むことができる。測定された出水温度が予熱基準温度よりも低い場合には、ヒータを作動させてヒータ内に貯蔵された水を予熱時間の間に加熱することができる。ヒータ内に貯蔵された水が予熱基準温度よりも低い場合には、出水する前に水を予熱する。したがって、予熱操作（Ｓ１２）の後で水を出水するときには、目標温度を有する水を初期出水のときから出水することができる。
【０１１５】
詳細には、測定された出水温度が６０°Ｃよりも低い場合、予熱操作（Ｓ１２）を実行することができ、測定された出水温度が低い場合に時間を延長するよう設定してヒータで水を十分に予熱する。
【０１１６】
ここで、初期開放設定操作（Ｓ１１）と予熱操作（Ｓ１２）とを同時に行うことができ、また、予熱操作（Ｓ１２）を先に行って、初期開放設定操作Ｓ１１で、予熱操作（Ｓ１２）で予熱された水の温度を考慮して出水弁の初期開放度を設定することもできる。
【０１１７】
初期開放操作（Ｓ１３）では、予め設定された出水弁の開放度に応じて出水弁を開放することができる。初期開放度設定操作（Ｓ１１）と予熱操作（Ｓ１２）によって目標温度を有する水を提供することができ、その後に、出水時であっても持続的に目標温度を有する水を提供するために出水制御操作Ｓ２０を行うことができる。
【０１１８】
出水制御操作Ｓ２０では、出水弁の開放度を制御することによりヒータから出水する水が目標温度を有するように調整することができる。
【０１１９】
ここで、出水温度の値の変化に応じて出水弁の開放度を調整することができる。詳細には、出水温度が目標温度よりも高い場合には、出水温度と目標温度との間の差に比例して出水弁を開放し、また、出水温度が目標温度よりも低い場合には、出水温度と目標温度との間の差に比例して出水弁を閉じることができる。
【０１２０】
ヒータのヒータ加熱容量が一定の場合、ヒータから出水される水の温度は、ヒータによって水を加熱する時間と比例して上昇することができる。出水弁をより大きく開放するほど時間あたりの出水量が増加し、ヒータによって水を加熱する時間が短くなる。これに対して、出水弁を閉じると、時間あたりの出水量が減少し、ヒータによって水を加熱する時間が長くなる。
【０１２１】
したがって、出水制御操作Ｓ２０で、出水弁の開放度を調整することによりヒータから出水される水の温度を調整して、ヒータから出水される水の温度が目標温度に達するよう調整することができる。
【０１２２】
また、出水制御操作Ｓ２０で、ヒータに流入する水の流入温度を受けることができ、そして、流入温度、ヒータのヒータ加熱容量、および目標温度を用いることによって、出水弁の開放度を調整することができる。
【０１２３】
詳細には、流入温度、ヒータのヒータ加熱容量、および目標温度を用いることによって、目標温度を輸する水を出水するために、必要な出水量を計算することができ、この計算された出水量に基づいて出水弁の開放度を調整することができる。
【０１２４】
たとえば、目標温度を有する水を出水するために必要なヒータの出水量を次式
【数５】
2015503724.tif 000007
を用いて計算することができ、この計算された出水量に応じて出水弁の開放度を設定することができる。すなわち、流入温度を受けて出水弁の開放度をより正確に設定することができる。ここで、Ｖは出水される水の容積、ｗはヒータ１０のヒータ加熱容量、ｃは水の比熱、ρは水の密度、Δｔは加熱時間、Ｔ１は目標温度、Ｔ２は流入温度である。
【０１２５】
この場合、上述したように、ヒータ加熱容量が変動することがあるため、温度をより正確に制御するために、ヒータ加熱容量計算操作で測定されたヒータの実際のヒータ加熱容量を用いることによって、出水弁の開放度を調整することができる。
【０１２６】
詳細には、ヒータ加熱容量に比例する比例定数を設定することができ、出水温度と目標温度との間の差に比例する出水弁の開放度を設定することができる。その結果、出水温度と目標温度との間の差に応じて生成された比例式とヒータ加熱容量を用いることができ、また、ヒータ加熱容量と出水温度とに応じて実験的に作成された表を用いることもできる。
【０１２７】
また、ヒータに流入する水の温度をが入力される場合には、次式
【数６】
2015503724.tif 000008
のヒータ加熱容量（ｗ）に実際計算したヒータ加熱容量を代入することにより、ヒータの出水量を計算することができる。
【０１２８】
出水制御操作（Ｓ２０）では、迅速に上記目標温度を有する水を配分するために、出水温度の値の変化量を用いて出水弁の開放度を調節することができる。
【０１２９】
図４（ａ）は第１出水の場合における出水温度を示したグラフである。すなわち、図４（ａ）は、水を最後に出水してから所定時間経過後に温水を出水する場合のグラフを示している。図４（ａ）を参照すると、出水温度は目標温度に収束しており、この収束は、上述したように出水弁の開放度を制御することにより得ることができる。
【０１３０】
この場合は、しかしながら、図４（ａ）に示したように、出水温度が目標温度に収束する過程で、出水温度は、目標温度に基づいて上昇したり下降して変動して、出水温度の変動により、ユーザーに熱水または冷水が突然供給されることがある。また、出水温度を安定して目標温度にするまでかかる時間が長くかかることがある。したがって、出水温度曲線の変動を最小にするために、出水弁２０を制御する必要がある。
【０１３１】
図４（ｂ）は連続的に出水をする場合の出水温度を示している。温水を継続して分配するので、図４（ｂ）に示したように、初期に出水温度は急激に上昇しないが、出水温度曲線に変動が現れる。したがって、変動を最小限に抑えるために、出水弁２０を制御する必要がある。
【０１３２】
そのため、出水制御操作（Ｓ２０）では、出水温度値の変化量を計算し、この計算した変化量に応じて出水弁の開放度を調整して、変動を最小限に抑えることができる。
【０１３３】
まず初めに、出水制御操作（Ｓ２０）では、出水温度と目標温度との間の差を計算し、この差の値から、温水分配が最初の出水であるのか、それとも連続的な出水であるのかを判定することができる。
【０１３４】
出水温度と目標温度との間の差が予め設定された値以上の場合、温水出水が最初の出水であると判定することができ、また、出水温度と目標温度との間の差が予め設定された値未満場合、温水出水が連続出水であると判定することができる。
【０１３５】
ここで、出水温度と目標温度との間の差は、温水を分配する初期の時点で求めることができ、この場合には、最初の出水と連続的な出水を明確に区別することができる。
【０１３６】
すなわち、最初の出水の場合では、ヒータ内に貯蔵された水の温度を常温（おおよそ２６°Ｃ）に近づけることができるが、連続的な出水の場合には、既に加熱されているので、ヒータ１０内に貯蔵された水の温度が目標温度（８５°Ｃ）に近づくことができる。
【０１３７】
したがって、出水温度と目標温度との間の差に基づいて、最初の出水と連続的な出水を判定することができ、また、最初の出水と連続的な出水とに応じて出水弁２０を異ならせて制御することができる。
【０１３８】
温水の出水が最初の出水である場合、制御部４０が出水温度の変化量を計算することができ、また、出水弁２０の開放度を出水温度の変化に応じて調整することができる。
【０１３９】
出水温度の変化量は、あらかじめ設定された時間間隔毎に出水温度値を測定して、測定された出水温度値の間の差を計算することにより求めることができる。ここで、計算された出水温度の変化が第１基準変化以上の場合には出水温度が急激に上昇していると考えられ、この場合には、出水温度のグラフの曲線の変動数と変動振幅が大きくなる可能性がある。
【０１４０】
したがって、変動が急激に大きくなると判別されると、出水弁２０の開放度を変化量が計算された時点での開放度に固定することができ、そして、この開放度の固定は第１設定時間の間維持することができる。すなわち、出水温度の変化量を減らすために、出水温度に応じて出水弁２０の開放度の制御を第１設定時間の間中断させることができる。これにより、出水温度の変動を図５に示すように減少させることができる。
【０１４１】
図４の（ａ）を参照すると、最初の出水の場合でも、時間経過に伴って出水温度を徐々に上昇させることができ、出水温度と目標温度との温度差を予め設定された値よりも少なくすることができる。したがって、この場合には、制御部４０は、出水弁２０の開放度を連続出水と同様に制御することができる。以下に、連続出水の場合における制御部４０の動作を説明する。
【０１４２】
温水を連続出水させると判別すると、上述したように、出水温度の変化量を計算して、変化量が第２基準変動量以上であるか否かを判別することができる。第２基準変化量は、第１基準変化量よりも小さくすることができる。変化量が第２基準変化量以上の場合には、出水温度が緩やかに上昇していると考えることができる。
【０１４３】
出水温度が緩やかに上昇すると、出水温度のグラフにおける曲線の変動数と変動振幅が増加すると予想することができ、したがって、出水弁２０の開放度を変動が計算された時点の開放度に固定することができる。ここで、固定する時点は、第１設定時点よりも短い第２設定時点とすることができ、出水弁２０の制御を中断することにより出水温度の変動を減少させることができる。
【０１４４】
したがって、出水温度の変化量に応じて出水弁２０の開放度を調整することによって、出水温度を迅速に目標温度に収束させることができ、また、出水弁２０の制御時間を短縮することによって、出水弁２０を制御するためのエネルギーの消耗を減少させることができる。
【０１４５】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有するものには明らかである。
【符号の説明】
【０１４６】
１０  ヒータ、    ２０  出水弁、    ３１  温度センサ、    ３２  入水温度センサ、    ４０  制御部、    Ｓ１０  初期出水段階、    Ｓ１１  初期開放設定過程、    Ｓ１２  予熱過程、    Ｓ１３  初期開放過程、    Ｓ２０  出水制御段階
【図１】
2015503724.tif 000009
【図２】
2015503724.tif 000010
【図３】
2015503724.tif 000011
【図４】
2015503724.tif 000012
【図５】
2015503724.tif 000013
【国際調査報告】
2015503724.tif 000014
2015503724.tif 000015